(57)【特許請求の範囲】
【請求項１】
機器本体の開口を覆う蓋体が前記機器本体に対して移動可能に支持され、前記機器本体の保持部に係合する係合部が前記蓋体に回動自在に支持され、前記蓋体を閉じるとき、前記係合部が前記保持部を回避する方向に前記蓋体が機器本体に対して移動し、前記蓋体を開くとき、前記係合部と保持部との係合を解除する方向に前記係合部が開回動することを特徴とする蓋体開閉機構。
【請求項２】
前記蓋体を閉じるとき、係合部が保持部に当接して、該保持部からの反作用により、係合部が保持部を回避する位置に前記蓋体が移動されることを特徴とする請求項１記載の蓋体開閉機構。
【請求項３】
前記蓋体の閉状態で、蓋体を機器本体に対して移動させ係合部と保持部とを係合させる係合移動手段が設けられたことを特徴とする請求項１又は２記載の蓋体開閉機構。
【請求項４】
前記係合移動手段は、係合部を保持部に係合する方向に前記蓋体を付勢する弾性体であることを特徴とする請求項３記載の蓋体開閉機構。
【請求項５】
前記蓋体は、支軸を介して機器本体に開閉自在に支持され、該支軸を移動可能に案内する案内手段が設けられたことを特徴とする請求項１〜４のいずれかに記載の蓋体開閉機構。
【請求項６】
前記蓋体の閉状態で前記係合部を前記保持部に係合する方向に付勢する付勢手段が設けられ、前記係合部は、前記蓋体を閉じるとき、付勢手段の付勢力に抗して回動し、前記保持部を乗り越えて該保持部に係合することを特徴とする請求項１〜５のいずれかに記載の蓋体開閉機構。
【請求項７】
機器本体の開口を覆う蓋体が前記機器本体に開閉自在に支持され、前記機器本体の保持部に係合する係合部が、前記蓋体に回動自在に支持され、かつ前記係合部および保持部は相対的に移動可能とされ、前記蓋体が閉じられたとき、係合部及び保持部が係合するように、係合部及び保持部の少なくとも一方を付勢する付勢手段が設けられ、前記蓋体を閉じるとき、前記係合部が前記蓋体に対して前記保持部を回避する方向に移動し、前記蓋体を開くとき、前記係合部と保持部との係合を解除する方向に前記係合部が開回動することを特徴とする蓋体開閉機構。
【請求項８】
前記蓋体を閉じるとき、係合部が保持部に当接して、該保持部からの反作用により、係合部及び保持部の少なくとも一方が移動されることを特徴とする請求項７記載の蓋体開閉機構。
【請求項９】
前記係合部は、回動軸を介して蓋体に対して回動自在に支持され、前記回動軸を移動可能に案内する案内手段が設けられたことを特徴とする請求項７又は８記載の蓋体開閉機構。
【請求項１０】
前記案内手段は、係合部に取り付けられた回動軸を保持部に対して近接離間する方向に案内することを特徴とする請求項９記載の蓋体開閉機構。
【発明の詳細な説明】
【０００１】
【発明の属する技術分野】
本発明は、例えば保温式炊飯器や保温式湯沸器等の電気調理機器の蓋体を開閉するための蓋体開閉機構に関するものである。
【０００２】
【従来の技術】
一般に、保温式炊飯器や保温式湯沸器等の電気調理機器では、その機器本体の開口を蓋体で覆って、機器本体内部の食品等を調理、保温するようになっている。蓋体は蓋体開閉機構により開閉自在とされ、蓋体を開いて機器本体内部から食品等を出し入れできるようにされている。蓋体開閉機構を備えた機器の一例として、図９に実公平７−１０５３号公報に開示された保温式炊飯器を示す。
【０００３】
この保温式炊飯器は、上面側に開口を有する機器本体１０１と、機器本体１０１の開口を開閉自在に覆う蓋体１０２とを備えている。蓋体１０２の一側は、支軸１０３を介して機器本体１０１に開閉自在に支持され、蓋体１０２を閉じたときに、蓋体１０２の内蓋１０４が機器本体１０１内の内釜１０５の開口を覆うようになっている。
【０００４】
機器本体１０１には、蓋体１０２を閉状態に保持する保持部１０６が設けられている。保持部１０６は、機器本体１０１の他側に配され、その上部が傾斜面とされた爪状に形成され、開口側に向けて突出している。係合部１０８は、回動軸１０９を介して蓋体１０２に回動自在に支持され、ばね１１０により、保持部１０６に係合する方向に付勢されている。この係合部１０８の下端は、保持部１０６の傾斜面に相対する傾斜面を有する爪状に形成され、外向きに突出している。
【０００５】
蓋体１０２を閉じるときには、まず、蓋体１０２を下げて、その係合部１０８を保持部１０６に当接させる。さらに、蓋体１０２を下げると、係合部１０８が回動して保持部１０６を乗り越え、ばね１１０の付勢力により係合部１０８と保持部１０６とが係合する。
【０００６】
使い勝手としては、蓋体１０２を水平面に対して約３０°程度開いた状態で手を離したときに、係合部１０８が保持部１０６の先端を乗り越えて、係合部１０８が保持部１０６に係合するように、ばね１１０の強さを設定するのが好適とされている。すなわち、所定の位置で蓋体１０２から手を離したときに、その自重及び慣性力に対する保持部１０６からの反作用により係合部１０８を回動させるモーメントが、ばね１１０が係合部１０８を回動させるモーメントよりも大きくなるように設定される。
【０００７】
一方、蓋体１０２を開くときには、係合部１０８の上端部に形成されたレバー１１２を引き上げて、係合部１０８をばね１１０の付勢力に抗して回動させ、保持部１０６と係合部１０８との係合を解除した後、蓋体１０２を持ち上げるようにして開く。
【０００８】
また、蓋体開閉機構を備えた機器の別の例として、図１０に実公平６−１６５６５号公報に開示された保温式湯沸かし器を示す。この保温式湯沸かし器は、機器本体１１３に蓋体１１４の一側が支軸１１５を介して支持され、蓋体１１４を閉じたときに、機器本体１１３の保持部１１６に、蓋体１１４の係合部１１７が係合するようになっている。
【０００９】
保持部１１６は、機器本体１１３の他側に配され、その先端の上面側が傾斜面とされている。係合部１１７は、略水平方向に移動自在に支持され、ばね１１９により、保持部１１６に係合する方向に付勢されている。この係合部１１７の下部は、その先端の下面側が傾斜面とされたフック状に形成され、外向きに突出している。係合部１１７の上部は、外向きに突出され、蓋体１１４に回動軸１２１を介して回動自在に設けられたレバー１２２の先端が当接されている。
【００１０】
蓋体１１４を閉じるとき、係合部１１７の下部を保持部１１６に当接させると、係合部１１７が内向きに移動して保持部１１６を乗り越える。一方、蓋体１１４を開くときには、レバー１２２を引き上げて、係合部１１７を内向きに移動させると、保持部１１６と係合部１１７との係合が解除される。
【００１１】
【発明が解決しようとする課題】
ところが、近年、設置面積が小さく高さが低いコンパクトな機器が求められ、それに伴って蓋体の高さを低くすることが望まれている。この場合、従来の保温式炊飯器では、係合部の回動軸から先端までの長さが短くなり、係合部を回動させるためには、より強い力を加える必要がある。そのため、所定の角度で蓋体から手を離しただけでは蓋体を閉じることができず、使い勝手が悪くなる。
【００１２】
これに対して、ばねの付勢力を弱くすれば、蓋体を楽に閉めることができるが、レバーにわずかに触れただけで係合部の係合が解除される。このとき、蓋体は、容器との間を水密にするためのゴムパッキング等の弾性体による力が開方向に作用しており、蓋体が簡単に開いてしまう。すると、熱い蒸気や熱風が吹き出して、火傷したり、充分な炊き上がりや充分な保温性能が得られなくなるおそれがある。
【００１３】
また、係合部の回動軸から先端までの長さが短くなることにより、係合部を所定の角度だけ回動させたときの先端の移動量が小さくなる。先端の移動量が小さくなる分、保持部及び係合部のオーバーラップ長を短くすれば、係合部が保持部の先端を乗り越えやすく、ばねを弱くするときと同様、蓋体を楽に閉めることができるが、蓋体が簡単に開いてしまう。特に、電気調理器の蓋体開閉機構は、樹脂成形品で構成されることが多く、炊飯や保温時等の温度が高いときには、樹脂製の保持部及び係合部が柔らかくなりやすいため、わずかな衝撃や振動等で蓋体が開くおそれがある。
【００１４】
保温式炊飯器の係合部が回動軸周りの回動動作しかできず、保持部及び係合部のオーバーラップ長を長くできない構造であるのに対して、保温式湯沸かし器は、操作レバーの回転操作を係合部の直線動作に変換して、オーバーラップ長を長くしている。しかし、この構成では、部品点数の増大に伴ってレバー及び係合部の占める容積が大きくなり、コンパクトな製品を得にくい。
【００１５】
本発明は、簡単でコンパクトな構成で、蓋体を閉じやすくかつ不用意に開かないようにすることができる蓋体開閉機構を提供することを目的とする。
【００１６】
【課題を解決するための手段】
上記目的を達成するため、本発明は、機器本体の開口を覆う開閉自在な蓋体に、機器本体に係合する係合部が設けられ、機器本体に、前記係合部を係合させて蓋体を閉状態に保持する保持部が設けられ、前記蓋体は、機器本体に移動可能に支持され、該蓋体を閉じる際に、係合部が保持部を回避するように蓋体が位置する蓋体開閉機構を提供するものである。
【００１７】
この構成によれば、蓋体自身を移動可能として、蓋体を閉じる際には、係合部が保持部を回避するように蓋体を位置させるため、蓋体を閉じるときに要する力を小さくすることができる。係合部を保持部から回避させるためには、保持部を乗り越えるときだけ係合部が保持部を回避するように、蓋体を移動させる。
【００１８】
あるいは、開状態のときに係合部が保持部を回避するように蓋体を位置させて、閉動作の途中で係合部が保持部に当たらないようにし、閉状態のときに蓋体を移動させて係合部を保持部に係合させてもよい。
【００１９】
蓋体を移動させる手段としては、蓋体を閉じるとき、係合部を保持部に当接させて、保持部からの反作用を利用する。係合部が保持部を回避する方向に蓋体を移動させるための手段を別途設ける必要がなく、その構成を簡単にすることができる。
【００２０】
蓋体が閉じられたときに、蓋体を移動させて係合部と保持部とを係合させる係合移動手段を設ければ、蓋体を閉じるだけで係合部と保持部とを係合でき、蓋体を確実に閉じることができる。この係合移動手段として、係合部と保持部とが係合する方向に蓋体を付勢するばね、ゴム、形状記憶材料等の弾性体とすれば、その構成を簡単にすることができる。蓋体を移動させるときに蓋体を案内する手段として、蓋体を機器本体に開閉自在に支持する支軸に対して、移動可能に案内する案内手段を設ければ、その構成を簡単にすることができる。
【００２１】
また、蓋体の移動とは、蓋体全体を移動させるものに限らず、蓋体の一部を移動させたり、変形させることを含む。そこで、係合部が保持部から回避できるように、蓋体の一部が移動可能あるいは変形可能とする。
【００２２】
また、係合部及び保持部は、その係合状態を回避する方向に相対的に移動可能とされ、蓋体を閉じる際に、係合部が保持部を回避するように係合部及び保持部が位置するものである。
【００２３】
この構成によれば、係合部及び保持部の少なくとも一方を移動可能として、蓋体を閉じる際に、係合部が保持部を回避するように移動させるため、蓋体を閉じるときに要する力を小さくすることができる。係合部を保持部から回避させるための手段としては、係合部と保持部との間での作用反作用の力を利用して、保持部を乗り越えるときだけ係合部及び保持部を相対的に移動させる。
【００２４】
あるいは、開状態のときに、係合部が保持部を回避するように、あらかじめ係合部及び保持部を位置させて、閉動作の途中で係合部が保持部に当たらないようにし、閉状態のときに係合部及び保持部を相対的に移動させて係合部を保持部に係合させてもよい。
【００２５】
蓋体を閉じるとき、係合部が保持部に当接すると、係合部のみが移動、保持部のみが移動、係合部及び保持部がともに移動のいずれかが実現する。係合部が保持部を回避する方向に係合部及び保持部を相対的に移動させるための手段を別途設ける必要がなく、その構成を簡単にすることができる。蓋体が閉じられたとき、係合部及び保持部が係合するように、係合部及び保持部の少なくとも一方を付勢する付勢手段を設ければ、蓋体を閉じるだけで係合部と保持部とを係合させることができる。
【００２６】
係合部を移動させる場合、係合部を案内する手段として、係合部を蓋体に対して回動自在に支持する。回動軸を移動可能に案内する案内手段を設ければ、その構成を簡単にすることができる。このとき、回動軸が保持部に対して近接離間する方向、好ましくは、係合部が当接する保持部の当接面に略直交する方向に回動軸を案内するようにすれば、保持部からの反力の向きと係合部の移動方向とを合わせて、その反力をより有効に利用することができる。
【００２７】
【発明の実施の形態】
以下、本発明に係る蓋体開閉機構の実施の形態について、保温式炊飯器を例に図面を用いて説明する。
【００２８】
［第一実施形態］
まず、本発明の第一実施形態について説明する。図１は本発明の第一実施形態の蓋体開閉機構を備えた保温式炊飯器を示す縦断面図、図２は機器本体の支持部及び蓋体の取付部を示す斜視図である。この保温式炊飯器は、上面側に開口を有する機器本体１と、機器本体１の開口を覆う開閉自在な蓋体２と、機器本体１の後側で開口周縁部において蓋体２を開閉自在に支持する支軸３とを備えている。
【００２９】
機器本体１は、例えばＰＰ樹脂製とされ、上面側及び下面側に開口を有する略円筒状の本体筒１ａと、この本体筒１ａの上面側の開口周縁部に取り付けられた上リング１ｂと、本体筒１ａの下面側の開口を覆う底カバー１ｃとからなる。なお、機器本体１は、その本体筒１ａ及び上リング１ｂを一体成形したものであってもよい。
【００３０】
機器本体１の内部には、金属製で上面側が開放された外釜４が取り付けられている。この外釜４は、その開口周縁部を上リング１ｂの開口周縁部の下面側に接するように配置され、その底部には、加熱用のヒーター５が配されている。外釜４の内部には、米及び水を入れる内釜６が着脱自在に収納され、この内釜６がヒーター５上に載置されるようになっている。
【００３１】
本体筒１ａの前側には、制御装置７が内装されている。この制御装置７には、炊飯開始やタイマーセット等を外部操作するための入力用キー類、表示用ＬＥＤ、入力キーからの信号を受けて炊飯や保温の火力制御及び表示を制御するマイコン等が搭載されている。
【００３２】
上リング１ｂの前側には、蓋体２を閉状態に保持する保持部８が設けられている。保持部８の上部には、上面側が傾斜面で下面側が略水平面である保持爪９が、後側に向かって突出形成されている。
【００３３】
蓋体２は、上方に凸に湾曲した蓋本体２ａの下面側に、略平板状の蓋カバー２ｂが取り付けられ、この蓋カバー２ｂの中央の下面側に、例えばゴム状弾性体製の内蓋取付具１２が配されてなる。内蓋取付具１２には、例えば金属製で略平板状の内蓋２ｃが着脱自在に取り付けられ、蓋体２を閉じたとき、内蓋２ｃが内釜６の開口を覆うようになっている。このとき、蓋体２には、ゴムパッキンや内蓋２ｃの弾性によって上向きの力が作用し、内蓋２ｃ及び内釜６間が水密に閉じられる。
【００３４】
蓋本体２ａの前側には、凹部１３が形成され、この凹部１３に、保持部８に係合する係合部１４が配置されている。係合部１４は、蓋本体２ａと略同一の曲率に形成されて凹部１３の前側を覆うレバー１５と、レバー１５の前側に形成されて蓋体２を閉じたとき保持爪９に係合する係合爪１６と、レバー１５の前後方向略中央付近の下面側に形成された係合部側取付片１７とからなる。
【００３５】
レバー１５の前側端部は、下向きに折曲され、その先端に係合爪１６が形成されている。係合爪１６は、下面側が傾斜面で上面側が略水平面である断面略三角形とされて、前側に向かって突出形成され、蓋体２を閉じたとき、係合爪１６の上面側が保持爪９の下面側に係合するようになっている。
【００３６】
凹部１３内には、その底部から上方に突出するように蓋体側取付片１８が形成され、この蓋体側取付片１８に回動軸１９が一体的に突設されている。係合部側取付片１７の貫通孔に回動軸１９が挿入されて、係合部１４が蓋体２に対して回動自在に支持されている。レバー１５は、その前後方向の長さが凹部１３よりも短くされ、凹部１３内に、蓋体２を開閉するときに指を挿入するための空間が形成され、レバー１５を操作できるようになっている。
【００３７】
回動軸１９には、ねじりコイルばね２０が巻き付けられ、このねじりコイルばね２０の一端が蓋本体２ａ、他端がレバー１５に当接している。ねじりコイルばね２０は、蓋体２を閉じたときに係合部１４が保持部８に係合する方向（図１では反時計回り）に、係合部１４を付勢している。ねじりコイルばね２０で付勢された係合部１４は、凹部１３内で回動軸１９よりも後側に底部から上方に突出するように形成されたストッパ２１により、その回転が規制され、蓋体２を開いたときに、レバー１５の後側の凹部１３内への落ち込みを阻止している。
【００３８】
上リング１ｂの後側は、図２に示すように、上方に突出されて、蓋体２を回動自在に支持する支持部１０とされる。この支持部１０には、支軸３を支持する軸受け穴１１が形成されている。軸受け穴１１は長穴とされて、その長径を前後方向に合わせて形成され、挿入された支軸３を前後方向に水平に移動可能に案内するようになっている。
【００３９】
蓋本体２ａの後側には、支持部１０を両側から挟み込む取付部２２が形成されている。取付部２２の側片２２ａに円穴２２ｃが形成され、この円穴２２ｃと上リング１ｂの軸受け穴１１とを支軸３が貫通することにより、機器本体１に蓋体２が回動自在かつ前後方向に移動可能に支持される。これらの支持部１０及び取付部２２によって案内手段が構成される。
【００４０】
蓋カバー２ｂの後側には、ばね受け２３が下方に向けて突設され、蓋体２を閉じたとき、ばね受け２３の後側と支持部１０の前側とが所定の間隔をあけて対向するようになっている。支持部１０の前側には、蓋体２を移動させて係合部１４と保持部８とを係合させる係合移動手段が設けられている。係合移動手段として弾性体が用いられ、例えばステンレス製で略Ｖ字形のばね２４が蓋カバー２ｂに突設されたばね受け２３と支持部１０との間に介装されている。このばね２４は、蓋体２を閉じたとき、蓋体２を前側に付勢するようになっている。
【００４１】
次に、この保温式炊飯器の蓋体の開閉動作について説明する。まず、蓋体２を閉じるときの手順を説明する。図３は蓋体を閉じるときの様子を示す図で、（ａ）は係合爪が保持爪に当接した状態、（ｂ）は蓋体が後側に移動した状態、（ｃ）は係合爪が保持爪に係合した状態を示す。
【００４２】
まず、開いている蓋体２を閉方向に回動させると、図３（ａ）に示すように、保持爪９の傾斜面が係合爪１６の傾斜面に当接する。この状態では、ばね２４の付勢力により、蓋体２が前側に移動し、支軸３が軸受け穴１１の前側に位置している。
【００４３】
蓋体２が下がるにつれて、係合爪１６が保持爪９から押される。この保持爪１６からの反作用により、蓋体２がばね２４の付勢力に抗して後側に移動する。図３（ｂ）に示すように、係合爪１６が保持爪９を回避した状態となる。この状態では、支軸３が軸受け穴１１に沿ってスライドし、軸受け穴１１の後側に位置している。ここで、係合部１４は、ねじりコイルばね２０の付勢力に抗して回動し、蓋体２を閉じるときの操作力をより軽くする。
【００４４】
係合爪１６が保持爪９を通過した後、図３（ｃ）に示すように、ばね２４の付勢力により、蓋体２は前側に移動して、係合爪１６が保持爪９に係合する。なお、指で係合部１４の先端部を押し下げるだけでなく、機器本体１に対して約２０°〜３０°程度開いた状態の蓋体２から手を放すことにより、蓋体２の自重及び慣性力を利用して蓋体２を閉じることができる。
【００４５】
一方、図１のように閉まっている蓋体２を開けるときには、レバー１５の後側から凹部１３に指を挿入してレバー１５を引き上げることにより、ねじりコイルばね２０の付勢力に抗して係合部１４が回動する。保持部８と係合部１４との係合が解除されるので、蓋体２を引き上げればよい。
【００４６】
この保温式炊飯器の一般的な使用方法としては、蓋体２を開いて内釜６を取出し、米と水をセットして外釜４内のヒーター５上に載置して蓋体２を閉じる。図示しない炊飯スイッチをＯＮすると、制御装置７がヒーター５を加熱制御して飯を炊き上げる。以降、制御装置７が図示しない保温ヒーターを制御して保温温度をコントロールする。
【００４７】
上記構成によれば、蓋体２を閉じる時に、蓋体２自身を後側に移動させるため、保持爪９と係合爪１６とのオーバーラップ長を大きくしても、蓋体を閉じるときの操作力を軽くすることができる。
【００４８】
なお、本実施形態のように、係合部１４を回動自在に取り付けるだけでなく、蓋体２の前側の保持爪９と対向する位置に、固定された係合部を形成してもよい。この場合、蓋体２を閉じる手順は、上記のものと同じである。一方、蓋体２を開く手順としては、蓋体２をばね２４の付勢力に抗して後側に移動させ、保持部と係合部との係合を解除して蓋体２を引き上げればよい。ここで、蓋体２の表面の適当な位置に、蓋体２を移動させて引き上げるためのつかみ部を設けておけばよい。
【００４９】
また、本実施形態では蓋体２側に形成する穴を円穴２２ｃとして、機器本体１側に形成する軸受け穴１１を長穴としたが、機器本体１側に円穴を形成して、蓋体２側に長穴を形成してもよい。さらに、支軸３を機器本体１又は蓋体２に一体的に設けて、軸受け穴１１又は円孔を貫通孔でなく長溝状に形成してもよい。
【００５０】
また、蓋体２を前後方向に移動させる手段としては、係合爪１６を保持爪９に当接させてその反作用を利用するだけでなく、例えば図４に示すように、二つの支軸２５ａ、２５ｂと、この支軸２５ａ、２５ｂを案内するガイド２６とを設けて、蓋体２の開閉動作に応じて蓋体２を前後に移動させるようにしてもよい。支軸２５ａ、２５ｂは、取付部２２の両側片２２ａに内向きに突設し、ガイド２６は、支持部１０の両側面に溝状に形成する。
【００５１】
ガイド２６は、前側支軸２５ａ及び後側支軸２５ｂを前後方向に案内する水平ガイド２６ａと、蓋体２を閉じるときに前側支軸２５ａを下方に案内する後側ガイド２６ｂと、蓋体２を開くときに前側支軸２５ａを上方に案内する前側ガイド２６ｃとからなり、後側ガイド２６ｂと前側ガイド２６ｃと境界部には、前側支軸２５ａの移動を一方向に規制する規制体２７が設けられている。
【００５２】
図５に示すように、規制体２７は、ガイド２６の底面から出没自在とされ、前側支軸２５ａが通過するとき以外はガイド２６の底面から突出するように、ばね２７ａにより付勢されている。規制体２７は、その上面が傾斜面とされ、前側ではガイド２６の底面よりも低くされて、前側支軸２５ａの前側ガイド２６ｃから後側ガイド２６ｂへの移動を許し、後側ガイド２６ｂから前側ガイド２６ｃへの移動を阻止するようになっている。
【００５３】
図４（ａ）に示すように、蓋体２を開いたとき、前側支軸２５ａは後側ガイド２６ｂの上端に位置し、後側支軸２５ｂは水平ガイド２６ａに位置している。蓋体２を閉じると、前側支軸２５ａが後側ガイド２６ｂに沿って下方にスライドし、後側支軸２５ｂが水平ガイド２６ａに沿って後側にスライドして、図４（ｂ）の状態になる。ここで、規制体２７により、前側支軸２５ａの後側ガイド２６ｂへの移動は阻止されている。
【００５４】
図４（ｂ）の状態から、例えばばね２４の付勢力を利用して、前側支軸２５ａ及び後側支軸２５ｂを水平ガイド２６ａに沿って前側に移動させることにより、保持部８に係合部１４が係合して図４（ｃ）の状態になり、蓋体２の閉動作が完了する。
【００５５】
図４（ｃ）の状態から蓋体２を開くとき、係合部１４を操作して保持部８との係合を解除して蓋体２を開くと、前側支軸２５ａが前側ガイド２６ｃに沿って上方にスライドし、後側支軸２５ｂが水平ガイド２６ａに沿って前側にスライドして、図４（ｄ）の状態になる。さらに、蓋体２を開くことにより、前側支軸２５ａが規制体２７を乗り越えて、図４（ａ）の状態になり、蓋体２の開動作が完了する。
【００５６】
また、上記の実施形態では、蓋体２全体を前後方向に移動させるようにしているが、蓋体２全体を移動させるだけでなく、蓋体２の一部を移動させてもよい。蓋体２の一部を移動させる手段としては、例えば蓋体２の一部を他の部分に対してスライドさせればよい。また、蓋体２を変形させるようにしてもよく、例えば蓋体２を折り曲げたり折り畳んだりすればよい。
【００５７】
［第二実施形態］
次に、本発明の第二実施形態について説明する。図６は本発明の第二実施形態の蓋体開閉機構を備えた保温式炊飯器を示す縦断面図、図７は係合部付近を示す斜視図である。この第二実施形態の蓋体開閉機構を備えた保温式炊飯器は、第一実施形態の保温式炊飯器と基本的には同じ構成であるが、蓋体２を移動させるのではなく、係合部１４を移動させるようにしている。
【００５８】
蓋本体２ａの凹部１３内の側壁１８に、長穴の回動軸受け穴２９が形成され、係合部側取付片１７の孔１７ａに挿通された回動軸１９が回動軸受け穴２９に回動自在に支持される。回動軸受け穴２９は、その長径方向を保持爪９の傾斜面に対して略直交する方向に合わせて形成され、係合部１４が蓋体２に対して保持爪９の傾斜面に対して略直交する方向にスライド可能とされている。
【００５９】
係合爪１６と蓋本体２ａの前側端面との間には、例えばステンレス製で山形に折曲された板バネ３０が介設され、係合部１４を前側及び保持部８に係合する方向（図６では時計回り）に付勢している。なお、係合部１４を前方へ付勢するばねと時計方向に付勢するばねとを別体のものとしてもよい。
【００６０】
蓋体２の後側では、取付部２２が支軸３を介して支持部１０に回動自在に支持される。支軸３は、取付部２２あるいは支持部１０に一体的に形成される。なお、支軸３は別部材としてもよい。その他の構成は、第一実施形態と同じである。
【００６１】
次に、この保温式炊飯器の蓋体の開閉動作について説明する。まず、蓋体２を閉じるときの手順を説明する。図８は蓋体を閉じるときの様子を示す図で、（ａ）は係合爪が保持爪に当接した状態、（ｂ）は係合部が後側に移動した状態、（ｃ）は係合爪が保持爪に係合した状態を示す。
【００６２】
まず、蓋体２を閉方向に回動させると、図８（ａ）に示すように、保持爪９の傾斜面が係合爪１６の傾斜面に当接する。この状態では、板ばね３０の付勢力により、係合部１４が前側に移動し、係合部１４を支持する回動軸１９が回動軸受け穴２９の前側に位置している。
【００６３】
次いで、係合部１４の先端部を指で軽く押し下げると、保持爪１６からの反作用により、図８（ｂ）に示すように、係合部１４を板ばね３０の付勢力に抗して後側に移動し、係合爪１６が保持爪９を回避した状態になる。この状態では、回動軸１９が回動軸受け穴２９に沿ってスライドし、回動軸受け穴２９の後側に位置している。ここで、係合部１４は、板ばね３０の付勢力に抗して回動し、蓋体２を閉じるときの操作力をより軽くする。
【００６４】
係合爪１６が保持爪９を通過した後、板ばね３０の付勢力により、図８（ｃ）に示すように、係合部１４は前側に移動して、係合爪１６が保持爪９に係合する。なお、指で係合部１４の先端部を押し下げるだけでなく、機器本体１に対して約２０°〜３０°程度開いた状態の蓋体２から手を放すことにより、蓋体２の自重及び慣性力を利用して蓋体２を閉じることができる。
【００６５】
一方、図６のように閉まっている蓋体２を開けるときには、レバー１５の後側から凹部１３に指を挿入してレバー１５を引き上げることにより、ねじりコイルばね２０の付勢力に抗して係合部１４が回動する。保持部８と係合部１４との係合が解除されるので、蓋体２を引き上げればよい。
【００６６】
上記構成によれば、蓋体２を閉じる時に、係合部１４自身を後側に移動させるため、保持爪９と係合爪１６とのオーバーラップ長を大きくしても、蓋体を閉じるときの操作力を軽くすることができる。また、回動軸受け穴２９の長径方向を保持爪９の傾斜面に略直交する方向に合わせるため、反作用のベクトルの向きと係合部１４の移動方向とが一致して、保持爪９からの反作用をより有効に利用することができ、より軽い力で蓋体２を閉じることができる。
【００６７】
なお、本実施形態では、蓋体２側の回動軸受け穴２９を長穴に形成して、係合部１４側の軸穴を円穴に形成したが、逆に蓋体２側に円穴を形成して、係合部１４側に長穴を形成してもよい。さらに、回動軸１９は、蓋体２又は係合部１４に一体的に形成してもよく、長穴を貫通孔でなく長溝の形状としてもよい。また、係合部１４を蓋体２に対して移動させるだけでなく、保持部８を機器本体１に対して移動させるようにしてもよく、係合部１４及び保持部８の両方を移動させるようにしてもよい。
【００６８】
係合部１４を移動させる手段としては、保持爪９に係合爪１６が当接するときの反作用を利用するだけでなく、例えば形状記憶合金を利用して、蓋体２を閉じて電源を入れたときに、形状記憶合金に通電して変形させ、係合部１４が保持部８に係合する方向に、係合部１４及び保持部８の少なくとも一方を移動させるようにしてもよい。
【００６９】
【発明の効果】
以上の説明から明らかなように、本発明では、蓋体を移動可能とすることにより、あるいは係合部及び保持部の少なくとも一方を移動可能とすることにより、蓋体を閉じる際に係合部が保持部から回避して、蓋体を閉じるのに要する力を小さくできる。したがって、蓋体を閉めるときに押し込まなくてもよくなり、ユーザーにとって使用性を向上させることができる。
【００７０】
しかも、係合部と保持部に無理な力がかからないので、これらの損傷を防止でき、蓋体の故障を減らすことができる。このとき、保持部に係合させる方向に係合部を付勢するばねを弱くする必要がないので、不用意に蓋体が開くことを阻止でき、蓋体が開いて火傷したり、充分な炊き上がりや充分な保温性能が得られなくなることを防止することができる。
【００７１】
また、蓋体開閉時の係合部の移動量を大きく設定しても蓋体を閉じる力を小さくできるので、保持爪及び係合爪のオーバーラップ長を長くすることができる。そのため、炊飯や保温時等の高温で樹脂製の保持爪及び係合爪が柔らかくなったときに、わずかな衝撃や振動等で蓋体が開かないようにすることができる。
【００７２】
その結果、簡単な構成で、係合部の回動軸から係合爪までの長さを短くすることができ、その分蓋体の高さを低くして、高さが低いコンパクトな機器を提供することができる。
【図面の簡単な説明】
【図１】本発明の第一実施形態の蓋体開閉機構を備えた保温式炊飯器を示す縦断面図
【図２】機器本体の支持部及び蓋体の取付部を示す斜視図
【図３】蓋体を閉じるときの様子を示す図で、（ａ）は係合爪が保持爪に当接した状態、（ｂ）は蓋体が後側に移動した状態、（ｃ）は係合爪が保持爪に係合した状態を示す
【図４】他の形態の蓋体を移動させる手段の構成図で、（ａ）は蓋体を開いた状態、（ｂ）は蓋体を閉じた状態、（ｃ）は蓋体を前側に移動させた状態、（ｄ）は蓋体を開く途中の状態を示す
【図５】図４における規制体の断面図
【図６】本発明の第二実施形態の蓋体開閉機構を備えた保温式炊飯器を示す縦断面図
【図７】係合部付近を示す斜視図
【図８】蓋体を閉じるときの様子を示す図で、（ａ）は係合爪が保持爪に当接した状態、（ｂ）は係合部が後側に移動した状態、（ｃ）は係合爪が保持爪に係合した状態を示す
【図９】従来の蓋体開閉機構を備えた保温式炊飯器の要部断面図
【図１０】従来の蓋体開閉機構を備えた保温式湯沸かし器の要部断面図
【符号の説明】
１      機器本体
２      蓋体
３      支軸
８      保持部
９      保持爪
１１    軸受け穴
１４    係合部
１６    係合爪
１９    回動軸
２０    ねじりコイルばね
２４    ばね
２５ａ  前側支軸
２５ｂ  後側支軸
２６    ガイド
２７    規制体
２８    軸受け穴
２９    回動軸受け穴
３０    板バネ
【図１】
0003756453.tif 000002
【図２】
0003756453.tif 000003
【図３】
0003756453.tif 000004
【図４】
0003756453.tif 000005
【図５】
0003756453.tif 000006
【図６】
0003756453.tif 000007
【図７】
0003756453.tif 000008
【図８】
0003756453.tif 000009
【図９】
0003756453.tif 000010
【図１０】
0003756453.tif 000011